(57)【特許請求の範囲】
【請求項１】
管壁の一部に該管壁の長さ方向に指向した塗布液噴霧スリットを設けている塗布管を、塗布処理すべき長尺シートの幅方向に向けて配設すると共にこの塗布管の一端部内に塗布液噴射ノズルを臨ませて該ノズルから噴射する塗布液を塗布管内から上記噴霧スリットを通じて該噴霧スリット上を走行する長尺シート面に連続的に塗布し、
上記塗布管は、一端部から他端部に向かって下方に緩傾斜していると共に他端部に上記塗布管内の余剰の塗布液の排出口を設けてあり、この排出口に戻り管を介して塗布液貯留槽を連結、連通させている一方、上記噴射ノズルのエゼクト作用によって上記貯留槽内の塗布液を供給管を通じて吸引して上記塗布管内に噴霧させると共に上記貯留槽内を減圧状態として上記余剰の塗布液を上記貯留槽内に強制的に引き戻すように構成していることを特徴とする長尺シートの塗布装置。
【請求項２】
塗布管の前後両側に、長尺シートを掛け渡した状態に支持しながら走行させる一対のガイドロールを配設していることを特徴とする請求項１に記載の長尺シートの塗布装置。
【発明の詳細な説明】
【０００１】
【発明の属する技術分野】
本発明は、長尺状のシート表面に液体を連続的に塗布することができる長尺シートの塗布装置に関する。
【０００２】
【従来の技術】
従来から、発泡シート等のシート表面に、例えば、帯電防止を目的として帯電防止剤を塗布することが行われている。このような液体塗布装置としては、例えば、特開昭５８−９８１６０号公報に、帯電防止剤等の溶液を収納し、上記溶液中にエアー噴射管を挿入してなる泡立部材へ、エアー噴射にて発生する泡をその内部へ導入できる塗布部材を接続してなり、上記塗布部材には、発泡シート等の被処理品との対向側に、上記導入した泡を噴出できる適数の孔を形成してなる帯電防止剤等の塗布装置が提案されている。
【０００３】
しかしながら、上記帯電防止剤等の塗布装置では液体を泡状とし、この泡状の液体を塗布部材の孔から噴出させ、この噴出させた泡状の液体を発泡シート等の被処理品の表面に塗布していることから、被処理品の表面に泡状の液体を点在した状態にしか塗布することができず、発泡シート等の被処理品の表面に液体を均一に塗布することができないといった問題点があった。
【０００４】
【発明が解決しようとする課題】
本発明は、発泡シート等の長尺状のシート表面に帯電防止剤等の液体を連続的に且つ均一に塗布することができる長尺シートの塗布装置を提供する。
【０００５】
請求項１に記載の長尺シートの塗布装置は、管壁の一部に該管壁の長さ方向に指向した塗布液噴霧スリットを設けている塗布管を、塗布処理すべき長尺シートの幅方向に向けて配設すると共にこの塗布管の一端部内に塗布液噴射ノズルを臨ませて該ノズルから噴射する塗布液を塗布管内から上記噴霧スリットを通じて該噴霧スリット上を走行する長尺シート面に連続的に塗布し、
上記塗布管は、一端部から他端部に向かって下方に緩傾斜していると共に他端部に上記塗布管内の余剰の塗布液の排出口を設けてあり、この排出口に戻り管を介して塗布液貯留槽を連結、連通させている一方、上記噴射ノズルのエゼクト作用によって上記貯留槽内の塗布液を上記供給管を通じて吸引して塗布管内に噴霧させると共に上記貯留槽内を減圧状態として上記余剰の塗布液を上記貯留槽内に強制的に引き戻すように構成していることを特徴とする。
【０００６】
又、請求項２に記載の長尺シートの塗布装置は、請求項１に記載の長尺シートの塗布装置において、塗布管の前後両側に、長尺シートを掛け渡した状態に支持しながら走行させる一対のガイドロールを配設していることを特徴とする。
【０００９】
【作用】
本発明の長尺シートの塗布装置では、その塗布管の一端部内に臨ませた塗布液噴射ノズルから塗布管内に液体を霧状に噴射し、この塗布管内に均一に霧状に拡がった液体を塗布液噴霧スリットを通じて該噴霧スリット上を走行する長尺シート面に連続的に塗布させており、液体を長尺シート面に隙間なく均一に且つ連続的に塗布することができる。
【００１０】
又、塗布管内の霧状の液体を塗布管の長さ方向に長い噴霧スリットを通じて長尺シート面に向かって噴霧させており、噴霧スリットが塗布液によって目づまりするといったこともない。
【００１１】
【発明の実施の形態】
本発明の液体塗布装置の一例について図面を参照しつつ説明する。液体塗布装置Ａは、図１に示したように、上端が全面的に開口してなる筐体１内に、一端部内に塗布液噴射ノズル21を臨ませた塗布管２と、前後ガイドロール３、４とを配設してなる。
【００１２】
詳しくは、上記筐体１は、図１乃至図３に示したように、平面横長長方形状の底面部11の前後端縁の夫々から一対の前後壁部12、13を、両側端縁の夫々から一対の両側壁部14、15を四角枠状に突設してなり、その上端部は全面的に開口してなる。そして、上記両側周壁部14、15は、上記前後周壁部12、13よりも若干高く形成されている一方、両側周壁部14、15の対向面間の間隔が液体液を塗布しようとする長尺シートＳの横幅に略合致した寸法となるように構成されている。
【００１３】
そして、上記筐体１の上端開口部内における前後方向の中央部には、塗布管２がその長さ方向を上記筐体１の長さ方向に合致させ且つ一端部から他端部に向かって下方に僅かに緩傾斜させた状態に配設されている。又、上記塗布管２の両端部は、上記筐体１の両側周壁部14、15に水密的に外方に向かって貫通、突出させた状態とされている。
【００１４】
上記筐体１内にある塗布管２の管壁上周部には、該塗布管２の長さ方向に指向する一定の前後幅を有する一条の塗布液噴霧スリット20が塗布管２の略全長に亘って内外面間に貫通した状態に貫設されている。
【００１５】
又、上記筐体１の一側周壁部14から突出した塗布管２の一端部は、キャップ体22によって閉止されており、このキャップ体22の天面部221 中央には、塗布液噴射ノズル21が貫通、支持されてあり、この塗布液噴射ノズル21の噴射孔211 を塗布管２の一端部内において、該塗布管２の他端部に向けて配設している。
【００１６】
一方、上記筐体１外には塗布液貯留槽５が配設されており、この塗布液貯留槽５に供給管６の一端を連結、連通させると共に供給管６の他端を上記塗布液噴射ノズル21に連結させることによって、上記塗布液貯留槽５内に貯留された塗布液Ｌを上記供給管６を通じて上記塗布液噴射ノズル21に供給可能に構成している。
【００１７】
更に、上記塗布液噴射ノズル21には、この塗布液噴射ノズル21に圧縮空気を供給するための送給管212 が連結、連通されており、この送給管212 から塗布液噴射ノズル21に圧送される圧縮空気によるエゼクト作用によって上記塗布液貯留槽５内の塗布液Ｌを吸引し、この吸引した塗布液Ｌを上記塗布液噴射ノズル21の噴射孔211 から霧状にして塗布管２の他端部に届く噴射力でもって塗布管２の軸芯方向に噴射するように構成されている。
【００１８】
そして、上記塗布液噴射ノズル21の噴射孔211 から噴射される塗布液の平均粒径が１０〜１００μｍとなるように調整されており、塗布管２の上記噴霧スリット20から噴出する霧状の塗布液Ｌは長尺シートＳの表面に緻密に且つ長尺シートＳ表面に跳ね返されることなく塗布される。
【００１９】
なお、上記送給管212 には、後述する長尺シートＳの有無を検知するシート検知部からの信号を受けて上記送給管212 を開閉自在に閉止する電磁弁212aが介装されていると共に、送給管212 内を流通する空気量を調整するための開閉バルブ212bが介装されている。
【００２０】
一方、上記塗布管２における上記筐体１から外方に突出させた他端部は下方（筐体１の開口部と反対方向）に向かって屈曲されていると共に閉止板25によって閉止され、この塗布管２の屈曲部内を塗布管２内の余剰の塗布液Ｌを一時的に貯留するための第一貯留部23に形成している。
【００２１】
そして、上記塗布管２の閉止板25の中央部には内外面間に亘って貫通する第一排出口25a が開設され、この排出口25a の外側開口部には戻り管７の一端が連結、連通されている一方、上記戻り管７の他端は上記塗布液貯留槽５に連結、連通されており、上記塗布管２の貯留部23内の塗布液Ｌを上記戻り管７を通じて上記塗布液貯留槽５に戻すように構成している。
【００２２】
更に、上記塗布管２の一端部下周面には、管壁を下方に向かって膨出させることによって第二貯留部24が形成され、この第二貯留部24の下端部には第二排出口24a が内外面間に亘って貫通した状態に貫設されている。
【００２３】
そして、上記第二排出口24の外側開口部には排出管８の一端部が連結、連通されていると共に、排出管８の他端部は上記戻り管７に連結、連通した状態となっており、上記塗布管２の第二貯留部24に一時的に貯留された塗布液Ｌを上記排出管８及び上記戻り管７を通じて上記塗布液貯留槽５に戻すように構成している。
【００２４】
一方、上記筐体１の上端開口部における上記塗布管２の前後両側には、一対の前後ガイドロール３、４がその長さ方向を上記塗布管２の噴霧スリット20の長さ方向に合致させ且つ上周面を上記筐体１の前後壁部12、13の上端から上方に突出させた状態に回転自在に配設されており、そして、上記塗布管２の上周面は、上記前後ガイドロール３、４の上端面よりも下方に没入した状態となっている。なお、上記塗布管２及びガイドロール３、４は互いに平行な状態に配設されている。
【００２５】
そして、上記前後ガイドロール３、４の上周面間に長尺シートＳを掛け渡した状態、即ち、架設状態に支持させながら前方に向かって連続的に走行させつつ、塗布管２の噴霧スリット20に対向する長尺シートＳ表面（図においては下面）に噴霧スリット20から噴霧された霧状の塗布液を吹き付けて均一に塗布する。
【００２６】
ここで、長尺シートＳが上記前後ガイドロール３、４間に掛け渡された状態においては、塗布管２の噴霧スリット20とこれに対向する長尺シートＳ表面との間の間隔は常に一定間隔に保持され、よって、長尺シートＳの表面には常に一定量の塗布液Ｌが均一に塗布される。
【００２７】
又、上記の如く構成された長尺シートの塗布装置Ａの後方側には、長尺シートＳを連続的に押出す押出機Ｂが配設されている一方、上記塗布装置Ａの前方側には、この塗布装置Ａによって一面に塗布液が塗布された長尺シートＳの巻き取りロールＣが配設されている。なお、上記押出機Ｂの代わりに長尺シートＳを連続的に巻き出す巻き出しロールであってもよく、又、上記巻き取りロールＣの代わりに長尺シートＳを所望形状に連続的に成形する成形機であってもよい。
【００２８】
更に、上記押出機Ｂと上記塗布装置Ａとの間には後側誘導ロールＤが配設されており、上記長尺シートＳは、後側誘導ロールＤによって、常に後側ガイドロール４の上端面に該後側ガイドロール４の後方における斜め下方から供給される一方、上記巻き取りロールＣと上記塗布装置Ａとの間には前側誘導ロールＥが配設されており、上記塗布装置Ａで塗布液を塗布された長尺シートＳは、前側ガイドロール３の上端面から該前側ガイドロール３の前方における斜め下方に向かって送り出され、上記長尺シートＳは、常に上記塗布装置Ａの前後ガイドロール３、４間に掛け渡された状態で塗布管２の噴霧スリット20から塗布液Ｌの噴霧を一定量だけ均一に受けるように構成されている。
【００２９】
次に、上記長尺シートの塗布装置Ａの使用要領について説明する。ここで、この長尺シートの塗布装置Ａに適用される長尺シートＳとしては、特に限定されず、一定幅寸法を有する発泡シートや合成樹脂シート等が挙げられ、又、塗布液も、特に限定されず、帯電防止剤等が挙げられる。
【００３０】
先ず、図３及び図４に示したように、押出機Ｂから長尺シートＳを連続的に押出し、この押出した長尺シートＳを後側誘導ロールＤの下周面を通して上記塗布装置Ａの後側ガイドロール４の上端面に連続的に供給し、この供給した長尺シートＳを前側ガイドロール３の上端面に連続的に供給して前後ガイドロール３、４間に掛け渡しながら通過させた後、この長尺シートＳが前側ガイドロール３から前側誘導ロールＥの下周面を通して巻き取りロールＣに連続的に巻き取られるように配設する。
【００３１】
一方、塗布管２における塗布液噴射ノズル21の噴射孔211 からは霧状に塗布液Ｌが噴射され、塗布管２内には、その全長に亘って霧状の塗布液Ｌが均一に分散した状態に充満しており、この均一に分散した塗布液Ｌが塗布管２の噴霧スリット20から該噴霧スリット20の全長に亘って均一な量でもって上方に向かって吹き出ている。
【００３２】
しかして、図３に示したように、上記塗布装置Ａの前後ガイドロール３、４間に掛け渡された状態で連続的に通過させられた長尺シートＳは、前後ガイドロール３、４間を走行、通過中に、その表面に塗布管２の噴霧スリット20から霧状に噴出している塗布液Ｌが噴霧される。
【００３３】
即ち、上記長尺シートＳは、後側ガイドロール４の後方における斜め下方から後側ガイドロール４に連続的に送り込まれると共に、前側ガイドロール３の前方における斜め下方に向かって前側ガイドロール３から連続的に送り出される時に、上記長尺シートＳは、塗布装置Ａの前後ガイドロール３、４の上端面間に支持された掛け渡し状態を常時、確実に維持し、塗布管２とこれに対向する長尺シートＳの表面との間の間隔は常に一定に保持され、よって、長尺シートＳの表面には常に塗布管２の噴霧スリット20から一定量の霧状の塗布液Ｌが均一に噴霧、塗布される。
【００３４】
そして、上記長尺シートＳは、その一面に塗布された塗布液Ｌが後側ガイドロール３の外周面によってより均一に塗り広げられた後、上記塗布装置Ａから排出され、巻き取りロールＣに連続的に巻き取られる。
【００３５】
一方、上記塗布管２内では、その一端部内に臨ませた塗布液噴射ノズル21の噴射孔211 から噴射させた塗布液Ｌの一部は上述の通り長尺シートＳの表面に吹き付け塗布されるが、その残余の塗布液Ｌは、塗布管２の内面を伝う等して塗布管２の下端内面上に溜まる。
【００３６】
しかるに、上記塗布管２は、その一端部から他端部に向かって下方に緩傾斜しているので、該塗布管２内に溜まった余剰の塗布液Ｌは、塗布管２内を円滑に一側から他側方向に向かって円滑に流動し、塗布管２の第一、第二貯留部23、24に流入し、これら貯留部23、24に一時的に貯留される。
【００３７】
そして、上記塗布装置Ａの外部に配設された塗布液貯留槽５内は、塗布管２の塗布液噴射ノズル21によるエゼクト作用によって減圧状態とされていることから、上記第一、第二貯留部23、24に貯留している塗布液Ｌは、戻り管７及び排出管８を通じて塗布液貯留槽５内に強制的に引き戻される。
【００３８】
このようにして塗布液貯留槽５内に戻された塗布液Ｌは、塗布管２の塗布液噴射ノズル21のエゼクト作用により吸引され、塗布液噴射ノズル21によって塗布管２内に再度、霧状にして噴射される。
【００３９】
又、塗布装置Ａの前方側には、塗布装置Ａから排出された長尺シートＳの有無を検知するシート検知部（図示せず）が配設され、このシート検知部によって塗布装置Ａの前方側における長尺シートＳの有無を常時、検知しており、長尺シートＳが何らかの原因で切れた場合のように長尺シートＳがなくなった場合には、上記シート検知部は上記電磁弁212aに信号を送って電磁弁212aを閉止させて塗布管２の塗布液噴射ノズル21への圧縮空気の送給を停止させ、塗布液噴射ノズル21の噴射孔211 からの塗布液の噴射を停止させるように構成している。
【００４０】
上記シート検知部の代わりに、塗布装置Ａから排出された長尺シートＳの長さ方向の張力を検知する張力検知部（図示せず）を配設し、この張力検知部によって長尺シートＳの長さ方向の張力を常時、測定し、張力検知部によって検出した長尺シートＳの張力が所定範囲を下回ったり或いは上回ったりした場合には、上記張力検知部が上記電磁弁212aに信号を送って電磁弁212aを閉止させて塗布管２の塗布液噴射ノズル21への圧縮空気の送給を停止させ、塗布液噴射ノズル21の噴射孔211 からの塗布液の噴射を停止させるように構成しておいてもよい。
【００４１】
なお、上記では、塗布装置Ａにおける筐体１の両側壁部14、15の対向面間の間隔に略合致した横幅寸法を有する長尺シートＳの下面に塗布液を塗布する場合について説明したが、上記塗布装置Ａにおける筐体１の両側壁部14、15の対向面間の間隔よりも狭い横幅寸法を有する長尺シートＳであってもよく、かかる場合には、長尺シートＳの両端縁とこれに対向する筐体１の両側壁部14、15間における上記筐体１の上端開口部をカバー部材によって閉止し、塗布管２の噴霧スリット20から噴霧させた塗布液が筐体１外に拡散しないようにしておけばよい。
【００４２】
上記では、長尺シートＳの下面に塗布液を連続的に塗布する場合に用いられる塗布装置Ａについて説明したが、次に、図５に示したように、長尺シートＳの上面に塗布液を連続的に塗布する場合に用いられる塗布装置Ａ’について説明する。なお、上記塗布装置Ａと同様の構造部分については同一符号を付してその説明を省略する。
【００４３】
図５に示した塗布装置Ａ’は、その塗布管２の塗布液噴霧スリット20の形成位置及び第一、第二貯留部23、24の形成位置が異なる他は、図１乃至図４に示した塗布装置Ａを上下反転させた構造を採っている。
【００４４】
即ち、上記塗布管２の下周面における最下端から僅かに上方に位置する前側ガイドロール３側の管壁に塗布液噴霧スリット20’を斜め下方に向けた状態で塗布管２の略全長に亘って貫設している。
【００４５】
又、上記塗布管２における上記筐体１から外方に突出させた他端部は下方（筐体１の開口部方向）に向かって屈曲されていると共に閉止板25によって閉止され、この塗布管２の屈曲部内を塗布管２内の余剰の塗布液を一時的に貯留するための第一貯留部23に形成している。
【００４６】
更に、上記塗布管２の一端部下面には、管壁を下方（筐体１の開口部方向）に向かって膨出させることによって塗布管２内の余剰の塗布液を一時的に貯留するための第二貯留部24が形成されている。
【００４７】
【発明の効果】
請求項１に記載の長尺シートの塗布装置は、管壁の一部に該管壁の長さ方向に指向した塗布液噴霧スリットを設けている塗布管を、塗布処理すべき長尺シートの幅方向に向けて配設すると共にこの塗布管の一端部内に塗布液噴射ノズルを臨ませて該ノズルから噴射する塗布液を塗布管内から上記噴霧スリットを通じて該噴霧スリット上を走行する長尺シート面に連続的に塗布するように構成し、塗布液を塗布管内に均一に霧状に分散させ、この霧状の塗布液を塗布管の塗布液噴霧スリットを通じて噴霧スリット上を走行する長尺シート面に塗布させており、長尺シートの表面に塗布液を均一に且つ連続的に塗布することができる。さらに、請求項１に記載の塗布装置では、塗布管は、一端部から他端部に向かって下方に緩傾斜していると共に他端部に塗布管内の余剰の塗布液の排出口を設けてあり、この排出口に戻り管を介して塗布液貯留槽を連結、連通させている一方、噴射ノズルのエゼクト作用によって上記貯留槽内の塗布液を供給管を通じて塗布管内に噴霧させるように構成していることを特徴とするので、塗布液噴射ノズルから塗布管内に噴射された余剰の塗布液は、塗布管の内面を一端部から他端部に向かって円滑に流動して排出口に流入し、この排出口から戻り管を介して塗布液貯留槽に戻り、よって、塗布液を循環使用することができ、最小限の塗布液量でもって長尺シートの表面に塗布液を均一に且つ確実にしかも連続的に塗布することができる。
【００４８】
又、請求項２に記載の長尺シートの塗布装置は、請求項１に記載の塗布装置において、塗布管の前後両側に、長尺シートを掛け渡した状態に支持しながら走行させる一対のガイドロールを配設していることを特徴とするので、前後ガイドロール間を掛け渡し状態に走行する長尺シートと塗布管の塗布液噴霧スリットとの間隔を常時一定に保持することができ、よって、塗布管の塗布液噴霧スリットから噴霧される塗布液を一定の塗布密度でもって長尺シートの表面に吹き掛け、塗布することができる。
【図面の簡単な説明】
【図１】本発明の長尺シートの塗布装置を示した斜視図である。
【図２】図１の長尺シートの塗布装置の縦断面図である。
【図３】図１の長尺シートの塗布装置の縦断面図である。
【図４】図１の長尺シートの塗布装置の使用状態を示した模式側面図である。
【図５】本発明の長尺シートの塗布装置の他の例を示した縦断面図である。
【符号の説明】
１  筐体
２  塗布管
20  塗布液噴霧スリット
21  塗布液噴射ノズル
25a 排出口
３  前側ガイドロール
４  後側ガイドロール
５  塗布液貯留槽
６  供給管
７  戻り管
Ａ、Ａ’長尺シートの塗布装置
Ｓ  長尺シート
【図１】
0004638096.tif 000002
【図２】
0004638096.tif 000003
【図３】
0004638096.tif 000004
【図４】
0004638096.tif 000005
【図５】
0004638096.tif 000006